(57)【要約】【課題】付加画像を回転してもはみ出ないようにし、囲み枠を付けた場合の見た目を損なわないようにすること。【解決手段】本発明は、１ページに複数ページ分の画像を並べて形成する印刷部９と、印刷部９で形成された物理的なページ毎に付加画像を付加するスタンプ位置決定部６とを備えているものである。また、この構成に加え、付加画像を物理的なページ毎に付加するか、論理的なページ毎に付加するかを選択するスタンプ情報入力部１を備えているものである。また、このスタンプ位置決定部６において、付加画像を繰り返し付加する場合、物理的なページ内で繰り返し行うものである。【選択図】図１
2005304094.tif 000002
【特許請求の範囲】
【請求項１】
１ページに複数ページ分の画像を並べて形成する複数画像形成手段と、
前記複数画像形成手段で形成された物理的なページ毎に付加画像を付加する画像付加手段と
を備えていることを特徴とする画像処理装置。
【請求項２】
前記付加画像を物理的なページ毎に付加するか、論理的なページ毎に付加するかを選択する付加単位指定手段を備えている
ことを特徴とする請求項１記載の画像処理装置。
【請求項３】
前記画像付加手段は、前記付加画像を繰り返し付加する場合、物理的なページ内で繰り返しを行う
ことを特徴とする請求項１記載の画像処理装置。
【請求項４】
１ページに複数ページ分の画像を並べて形成する工程と、
前記工程で形成された物理的なページ毎に付加画像を付加する工程と
を備えていることを特徴とする画像処理方法。
【請求項５】
前記付加画像を物理的なページ毎に付加するか、論理的なページ毎に付加するかを選択する工程を備えている
ことを特徴とする請求項４記載の画像処理方法。
【請求項６】
前記付加画像を繰り返し付加する場合、物理的なページ内で繰り返しを行う
ことを特徴とする請求項４記載の画像処理方法。
【発明の詳細な説明】
【技術分野】
【０００１】
本発明は、画像出力の対象となる画像に付加的な画像を付加して出力する画像処理装置および画像処理方法に関する。
【背景技術】
【０００２】
近年、ＤＴＰ（デスクトップパブリッシング）が盛んに行われており、パーソナルコンピュータ等を用いてページ内に線画や自然画を適宜レイアウトし、文書を作成して出力することが簡単にできるようになってきている。このような作成した画像をプリンタ等で出力する場合、パーソナルコンピュータにはプリンタを制御するプリンタドライバを搭載しておき、画質や枚数等の出力環境の設定を行うようにしている。
【０００３】
ここで、出力の対象となる画像に対して注意を喚起するためのメッセージなどをスタンプとして付与したい場合がある。ＤＴＰでは、このようなスタンプを付加画像として出力対象の画像に付加できるようになっている。
【０００４】
付加画像の有無は、上記プリンタドライバのユーザインタフェース画面で指定できるようになっている。すなわち、画像を出力するにあたり、プリンタドライバが起動して出力環境の設定を行う際、付加画像を付けるか否か、また付ける場合にはどのような付加画像を付けるか、また付加する位置などを選択する。これにより、出力対象の画像に付加画像が重ね合わされることになる。
【０００５】
このような付加画像について、特許文献１では、文書本文にメッセージを色別して付加する技術が開示されている。また、特許文献２では、違法複写を禁止するために、記録紙中に赤外線あるいは紫外線で検出可能な特定パターンを書き込む技術が開示されている。
【０００６】
さらに、プリンタドライバのスタンプ機能として、スタンプする付加画像に角度を付けたり、囲み枠を付けるなどの修飾を施すことができるものもある。例えば、印刷物の取り扱いに注意する場合、「注意」というテキストから成るスタンプを用紙の中央に斜めに付加したり、秘密扱いの文書に対して「秘」というテキストに○の囲み枠を付けて、いわゆるマル秘のスタンプを付加することができる。
【０００７】
【特許文献１】特開昭６３−２５６４４８号公報
【特許文献２】２特開平７−３１９３４７号公報
【発明の開示】
【発明が解決しようとする課題】
【０００８】
しかしながら、このような付加画像に角度を付けたり、囲み枠を付けるなどの修飾を施す場合、付加画像の位置が画像領域の端の方であると回転後の付加画像が画像形成領域をはみ出してしまい、付加画像の一部が出力されないという問題が生じる。また、テキストからなる付加画像で囲み枠が付けられている場合、そのテキストに文字修飾を施しても囲み枠はそのままであることから、囲み枠とテキストとの見栄えのバランスが悪くなってしまい、出力画像の見た目を損なうという問題がある。また、１ページに複数ページ分の画像を並べて形成するにあたり、各論理ページに付加画像を各々付加すると見た目を損なうという問題もある。
【課題を解決するための手段】
【０００９】
本発明は、このような課題を解決するために成された画像処理装置である。すなわち、請求項１に係る画像処理装置は、１ページに複数ページ分の画像を並べて形成する複数画像形成手段と、複数画像形成手段で形成された物理的なページ毎に付加画像を付加する画像付加手段とを備えているものである。
【００１０】
このような請求項１に係る画像処理装置では、１ページに複数ページ分の画像を並べて形成するにあたり、その物理的なページ毎に付加画像を付加でき、付加画像が付加された状態の見た目を良くするとともに、付加画像の付加を必要最小限で済ませることができる。
【００１１】
また、請求項２に係る画像処理装置は、請求項１に係る画像処理装置の構成に加え、付加画像を物理的なページ毎に付加するか、論理的なページ毎に付加するかを選択する付加単位指定手段を備えているものである。
【００１２】
このような請求項２に係る画像処理装置では、１ページに複数ページ分の画像を並べて形成するにあたり、その物理的なページ毎に付加画像を付加するか、論理的なページ毎に付加画像を付加するかの選択を行えるため、必要に応じて付加画像を付加する配置状態を変えることができる。
【００１３】
また、請求項３に係る画像処理装置は、請求項１に係る画像処理装置の画像付加手段において、付加画像を繰り返し付加する場合、物理的なページ内で繰り返し行うものである。
【００１４】
このような請求項３に係る画像処理装置では、１ページに複数ページ分の画像を並べて形成するにあたり、付加画像を繰り返し付加する場合、物理的なページ内で繰り返すことから、繰り返される付加画像が論理的なページの境界で寸断されることなく、見た目で自然な繰り返しにすることができる。
【００１５】
また、請求項４に係る画像処理方法は、１ページに複数ページ分の画像を並べて形成する工程と、前記工程で形成された物理的なページ毎に付加画像を付加する工程とを備えるものである。
【００１６】
このような請求項４に係る画像処理方法では、１ページに複数ページ分の画像を並べて形成するにあたり、その物理的なページ毎に付加画像を付加でき、付加画像が付加された状態の見た目を良くするとともに、付加画像の付加を必要最小限で済ませることができる。
【００１７】
また、請求項５に係る画像処理方法は、請求項４に係る画像処理方法において、付加画像を物理的なページ毎に付加するか、論理的なページ毎に付加するかを選択する工程を備えているものである。
【００１８】
このような請求項５に係る画像処理方法では、１ページに複数ページ分の画像を並べて形成するにあたり、その物理的なページ毎に付加画像を付加するか、論理的なページ毎に付加画像を付加するかの選択を行えるため、必要に応じて付加画像を付加する配置状態を変えることができる。
【００１９】
また、請求項６に係る画像処理方法は、請求項４に係る画像処理方法において、付加画像を繰り返し付加する場合、物理的なページ内で繰り返しを行うものである。
【００２０】
このような請求項６に係る画像処理方法では、１ページに複数ページ分の画像を並べて形成するにあたり、付加画像を繰り返し付加する場合、物理的なページ内で繰り返すことから、繰り返される付加画像が論理的なページの境界で寸断されることなく、見た目で自然な繰り返しにすることができる。
【発明の効果】
【００２１】
したがって、本発明の画像処理装置によれば次のような効果がある。すなわち、付加画像を回転させる場合、設定範囲に収まるように付加画像の位置を決定することから、回転した付加画像が設定範囲からはみ出てしまうことを防止できるようになる。また、付加画像に囲み枠が形成されている場合、付加画像の属性に応じて囲み枠の属性を可変することで、付加画像と囲み枠との見た目のバランスを良くすることが可能となる。また、付加画像の適用範囲を指定できることで、付加画像を任意の範囲で適用できるようになり、多様なスタンプを実現できるようになる。さらに、１ページに複数ページ分の画像を並べて形成するにあたり、その物理的なページ毎に付加画像を付加できるため、スタンプの見た目を向上させることが可能となる。
【発明を実施するための最良の形態】
【００２２】
以下、本発明の画像処理装置における実施の形態を図に基づいて説明する。図１は、本実施形態における画像処理装置を説明するブロック図、図２は、適用システムの例を示す図である。すなわち、本実施形態の画像処理装置は、出力対象となる画像（テキスト、グラフィックス、イメージを含む。以下同様）に付加画像（以下、「スタンプ」と言う。）を付けるもので、図１に示すように、主として、スタンプ情報入力部１、スタンプ編集部２、スタンプ登録部３、スタンプ記録部４、スタンプサイズ決定部５、スタンプ位置決定部６、スタンプ管理部７、表示部８、印刷部９を備えている。このような画像処理装置は、図２に示すパーソナルコンピュータ１０に搭載されるプリンタドライバとして実現され、各種プリンタ２０への画像出力の際に起動する。
【００２３】
ここで、スタンプ情報入力部１は、スタンプを付加するか否か、付加するスタンプの種類、囲み枠の有無、修飾等のスタンプの属性に関する情報を入力する部分である。スタンプ編集部２は、スタンプ情報入力部１で入力した属性に基づいてスタンプの属性等を編集する部分である。
【００２４】
スタンプ登録部３は、新たなスタンプを登録する部分であり、スタンプ情報入力部１から入力された新たなスタンプに関する属性を登録する部分である。スタンプ記録部４は、スタンプ情報入力部１で選択された付加するスタンプを一時的に保存する部分である。
【００２５】
スタンプサイズ決定部５は、付加するスタンプのサイズを設定する部分で、例えばスタンプがテキストから成る場合にはフォントサイズを決定し、グラフィックデータの場合には全体の大きさを決定する。
【００２６】
スタンプ位置決定部６は、スタンプを付加する位置を設定する部分で、例えば画像を用紙へ出力する場合、その用紙のどの部分にスタンプを付加するかを決定したり、スタンプの大きさが変更されたり、角度が付けられた場合に、変更後のスタンプの配置位置を決定する。
【００２７】
スタンプ管理部７は、各部を管理してスタンプの付加を制御する部分である。表示部８は、スタンプの付加状態（レイアウト）を表示する部分である。印刷部９は、用紙等の媒体に各種設定されたスタンプを印刷する部分である。
【００２８】
図３は、本実施形態の画像処理装置がプリンタドライバとして起動した場合のウインドウを示す図である。パーソナルコンピュータ１０（図２参照）で作成した画像をプリンタ２０で印刷する場合、印刷コマンドおよびスタンプ付加の指定によって図３（ａ）に示すようなスタンプ編集のウインドウＷが表示される。
【００２９】
ウインドウＷには、スタンプ（図の例では「注意」）のレイアウトを表示するプレビューウインドウＰＷ、スタンプの配置位置（図の例では、９箇所から選択）を設定する位置決定ボタンＰ、スタンプを繰り返し全体に表示するためのチェックボックスＺ、スタンプの登録名を入力するボックスＧ、スタンプの文字列を表示もしくは入力するボックスＮ、スタンプのフォント名を指定するボックスＦ、スタンプのフォントサイズを指定するボックスＳ、ボールド修飾を指定するボタンＢ、イタリック修飾を指定するボタンＩ、色を指定するラジオボタンＣ、スタンプを透過表示するか否かを指定するチェックボックスＴ、囲み枠を付けるか否かを指定するラジオボタンＯ、囲み枠を丸にする場合に指定するラジオボタンＲ、囲み枠を四角にする場合に指定するラジオボタンＬ、スタンプの回転角度を指定するスライダーおよび入力ボックスＡ、その他ＯＫボタン、キャンセルボタン、標準に戻すボタンＤ、ヘルプボタンＨが表示される。
【００３０】
ここで、スタンプに回転角度を指定する場合、図３（ｂ）の楕円枠で示す角度指定ボックスＡのスライダーまたは入力ボックスで任意の角度を指定する。この例では反時計回りに４５°回転する指定を行っている。このスライダーおよび入力ボックスで所望の角度を指定することにより、プレビューウインドウＰＷに表示されるスタンプ（図の例では「注意」）が連動して回転することになる。
【００３１】
このようなスタンプの回転を指定するにあたり、本実施形態の画像処理装置では、スタンプがどの位置に配置されていても、回転によって設定領域からはみ出さないような回転を行っている。つまり、スタンプの中心で回転させると、スタンプの端の部分がプレビューウインドウＰＷで示される設定範囲（この場合、画像の印刷領域もしくは画像を出力する媒体の範囲）からはみ出してしまい、印字されない状態となる。
【００３２】
本実施形態では、図１に示すスタンプ位置決定部６により、スタンプを回転した際に設定範囲内に収まるようなスタンプの回転後の位置を決定している。具体的には、スタンプの外接矩形（以下、「バウンディングボックス」と言う。）を設定し、このバウンディングボックスが設定範囲内に収まるようにスタンプの位置を決定する。
【００３３】
図４は、バウンディングボックスを用いたスタンプの回転手順を説明するフローチャートである。先ず、ステップＳ１に示すように、スタンプに囲み枠があるか否かを判断し、囲み枠がある場合にはステップＳ２へ進み、囲み枠がない場合にはステップＳ３へ進む。
【００３４】
ステップＳ２では、スタンプに囲み枠がある状態でのバウンディングボックス(1)を求める。一方、ステップＳ３では、スタンプに囲み枠がない状態でのバウンディングボックス(1)を求める。図５（ａ）は、囲み枠あり、囲み枠なしの各々の場合のバウンディングボックス(1)を示す図である。囲み枠ありの場合には囲み枠に対する外接矩形をバウンディングボックス(1)とし、囲み枠なしの場合にはスタンプ自体の外接矩形をバウンディングボックス(1)とする。
【００３５】
次に、ステップＳ４へ進み、スタンプに回転が付けられているか否かを判断する。回転が付けられている場合にはステップＳ５へ進み、バウンディングボックス(1)の回転後のバウンディングボックス(2)を求める。一方、回転が付けられていない場合はステップＳ６へ進む。
【００３６】
図５（ｂ）は、スタンプに回転が付けられている場合の回転後のバウンディングボックス(2)を示す図である。囲み枠ありの場合には回転後の囲み枠に対する外接矩形をバウンディングボックス(2)とし、囲み枠なしの場合には回転後のスタンプに対する外接矩形をバウンディングボックス(2)とする。
【００３７】
次に、ステップＳ６では、バウンディングボックス(2)の左上頂点と印刷領域の左上頂点が一致するように配置する処理を行う。なお、この例では、スタンプを印刷領域の左上に配置するよう選択している。図５（ｃ）は、スタンプの配置を説明する図で、スタンプのバウンディングボックス(2)の左上ｔと印刷領域の左上Ｔとを合わせるようにスタンプを配置する。これにより、回転後のスタンプ（囲み枠を含む場合は囲み枠）は、必ず印刷領域内に収まるようになる。
【００３８】
図６は、スタンプを回転して配置した状態を説明する図である。図６（ａ）に示すスタンプのうち、「取扱注意」に四角の囲み枠が設定され、「秘」に丸の囲み枠が設定されている。これらのスタンプに設定されたバウンディングボックスを図中破線枠で示す。
【００３９】
図６（ｂ）は、これらのスタンプを用紙の印刷領域（図中１点鎖線）内に配置した状態を示す図である。例えば、スタンプｓｔ１を印刷領域の左上に配置する場合、そのバウンディングボックスｂ１の左辺と上辺とを印刷領域の左辺と上辺とに各々合わせる。このようにすることで、スタンプｓｔ１の回転は、囲み枠とバウンディングボックスｂ１とが接する画素ｇ１、ｇ２を基準画素としてこの画素ｇ１、ｇ２が印刷領域の左辺、上辺を各々沿うように回転することになる。
【００４０】
また、スタンプｓｔ２を印刷領域の中央上に配置する場合、そのバウンディングボックスｂ２の上辺とを印刷領域の上辺とに各々合わせる。このようにすることで、スタンプｓｔ２の回転は、囲み枠とバウンディングボックスｂ２とが接する画素ｇ３を基準画素としてこの画素ｇ３が印刷領域の上辺に接しながら回転することになる。
【００４１】
また、スタンプｓｔ３を印刷領域の右上に配置する場合、そのバウンディングボックスｂ３の右辺と上辺とを印刷領域の右辺と上辺とに各々合わせる。このようにすることで、スタンプｓｔ３の回転は、囲み枠とバウンディングボックスｂ３とが接する画素ｇ４、ｇ５を基準画素としてこの画素ｇ４、ｇ５が印刷領域の右辺、上辺を各々沿うように回転することになる。
【００４２】
また、スタンプｓｔ４を印刷領域の中央左に配置する場合、そのバウンディングボックスｂ４の左辺を印刷領域の左辺に合わせる。このようにすることで、スタンプｓｔ３の回転は、囲み枠とバウンディングボックスｂ４とが接する画素ｇ６を基準画素としてこの画素ｇ６が印刷領域の左辺に接しながら回転することになる。
【００４３】
また、スタンプｓｔ５を印刷領域の中央右に配置する場合、そのバウンディングボックスｂ５の右辺を印刷領域の右辺に各々合わせる。このようにすることで、スタンプｓｔ５の回転は、囲み枠とバウンディングボックスｂ５とが接する画素ｇ７を基準画素としてこの画素ｇ７が印刷領域の右辺を沿うように回転することになる。
【００４４】
このように、スタンプのバウンディングボックスと印刷領域の境界辺とを合わせて、その合わせた辺上にある囲み枠の画素を基準画素として回転を行えば、囲み枠が印刷領域からはみ出ることなくスタンプの回転を行うことができるようになる。
【００４５】
図７は、スタンプを１ページ内に繰り返し設定した状態を示す図である。先ず、図７（ａ）に示すようにスタンプを回転し、バウンディングボックスを設定する。そして、スタンプの繰り返しを設定するには、図３に示す「繰り返して全体に表示」を設定するチェックボックスＺを選択する。これにより、図７（ｂ）に示すように、スタンプが１ページ内に繰り返し設定されることになる。バウンディングボックスを基準にして繰り返し設定すれば、スタンプを回転してもバウンディングボックスをはみ出すことがないため、隣接するスタンプが重なり合うことを防止できる。
【００４６】
また、この際、隣接するスタンプのバウンディングボックスの間にわずかな隙間を設けるようにしてもよい。例えば、四角の囲み枠があり、回転角度が付いていない場合には、スタンプの繰り返しによって隣接する囲み枠が接触し、見かけ上、囲み枠が太くなってしまう。これを防止するため、隣接するスタンプのバウンディングボックスの間にわずかな隙間を設けることで、隣接する囲み枠が接触しなくなり、見栄えを良くすることができる。
【００４７】
図８は、スタンプに囲み枠が設けられている場合に、そのスタンプ（テキスト）の属性に応じて囲み枠の属性を可変する例を説明する図である。図８（ａ）は、スタンプが標準的なフォントサイズ（例えば、２０ポイント）から成る場合の囲み枠を示す。これに対し、図８（ｂ）に示すように、スタンプのフォントサイズを大きくした場合（例えば、４０ポイント）、そのフォントサイズに応じて囲み枠の枠線の太さを太くしている。
【００４８】
また、反対にフォントサイズを小さくした場合には、標準的なフォントサイズの場合の枠線の太さより、細くするようにする。なお、スタンプのテキストが複数ある場合には、その中の最大のフォントサイズに合わせて枠線の太さを変更するようにする。また、フォントサイズではなく、フォントの高さ（複数ある場合には最大高さ）に合わせて枠線の太さを変更するようにしてもよい。
【００４９】
さらに、図８（ｃ）に示すように、スタンプのフォントにボールド修飾を施した場合、スタンプのテキストが太くなるのに合わせて囲み枠の枠線の太さを、ボールド修飾が施されていない場合（図８（ｂ）参照）に比べて太くする。これにより、スタンプのテキストと囲み枠とのバランスが良くなる。
【００５０】
また、図８（ｄ）に示すように、スタンプのフォントにイタリック修飾を施した場合、スタンプのテキストが斜体になって字幅が長くなるのに合わせて囲み枠の枠線の長さを、ボールド修飾が施されていない場合（図８（ｂ）参照）に比べて長くする。これにより、スタンプのテキストと囲み枠とのバランスが良くなる。ここで、イタリック修飾した場合の枠線の太さの計算式を（１）式に示す。
【００５１】
ｗ’＝ｗ＋ｈ＊ｔａｎ｛（θ／１８０）π｝  …（１）
【００５２】
（１）式で、ｗ’はイタリック修飾した場合の枠線の長さ、ｗはイタリック修飾しない場合の枠線の長さ、ｈはイタリック修飾しない場合の枠線の高さ、θはイタリック修飾した場合の文字の傾きである。
【００５３】
このように、スタンプのフォントの属性に応じて囲み枠の枠線の属性を可変させることで、スタンプのフォントと囲み枠との見た目のバランスが良くなり、自然なスタンプを付加できるようになる。
【００５４】
図９は、スタンプの適用範囲を設定した状態を示す図である。すなわち、スタンプとして、例えば複写禁止のように、その意味を適用する範囲が重要となる場合、スタンプの囲み枠の大きさを適用範囲として指定したり、スタンプの背景になる模様を適用範囲として指定できるようにする。
【００５５】
この場合、図３に示すプレビューウインドウＰＷを参照し、適用範囲を調節できるようにする。また、プレビューウインドウＰＷに出力対象となる画像のプレビューを表示することで、ページ単位でスタンプを設定し、そのスタンプの適用範囲を設定できようになる。
【００５６】
また、画像（文書）の作成ソフトウェアでスタンプの適用範囲を指定できようにしてもよい。この場合、画像（文書）の仕上がりイメージを表示し、その表示画面を参照しながら複写禁止などスタンプの適用範囲を任意に指定する。そして、印刷時に先に指定したスタンプの適用範囲に複写禁止に対応する模様や文字を付加して印刷する。
【００５７】
図１０は、１ページ内に複数のスタンプが設定されている例を示す図である。このように複数のスタンプを指定するには、図３に示すスタンプ編集のウインドウＷで、複数のスタンプを設定できるようにしておく。これにより、図１０に示すような、「回覧」、「注意」、「秘」などの複数のスタンプを１ページ内に収めることができるようになる。
【００５８】
図１１は、１ページに複数ページ分の画像を形成する場合のスタンプ生成を説明する図である。ここで、１ページに２ページ分の画像を形成することを２ｕｐ、１ページに４ページ分の画像を形成することを４ｕｐと言うことにする。図１１（ａ）は、２ｕｐの場合の論理ページ単位でスタンプを形成した例である。つまり、この場合、１ページに２ページ分の画像が左右に分かれて形成されるが、論理的なページ毎にスタンプを形成している。
【００５９】
一方、図１１（ｂ）は、２ｕｐの場合の物理ページ単位でスタンプを形成した例である。この場合、物理的な１ページの中央にスタンプが１つ形成される。これにより、論理的な２ページ分の間にまたがる状態でスタンプが付加される。スタンプの種類によっては、物理的なページ単位でスタンプがあることで、スタンプの意味を十分理解でき、見た目も良くなる。
【００６０】
図１１（ｃ）は、４ｕｐの場合の論理ページ単位でスタンプを形成した例、図１１（ｄ）は、４ｕｐの場合の物理ページ単位でスタンプを形成した例である。このように、いずれもページ単位でスタンプを形成するかを選択できるようにしてもよい。選択するには、図３に示すスタンプ編集のウインドウＷ内に論理単位か物理単位かを選択できるチェックボックス等を設定しておけばよい。
【００６１】
なお、上記説明した各実施形態では、主として用紙への印刷出力を例としているが、本発明はこれに限定されず、例えばディスプレイへの表示出力を行う場合であっても可能である。例えば、公開可能な画像（文書）に対して上記説明したスタンプを付加すれば、公開される際にスタンプが付加された画像をディスプレイ上に出力することが可能となる。
【図面の簡単な説明】
【００６２】
【図１】本実施形態の画像処理装置を説明するブロック図である。
【図２】適用システムの例を示す図である。
【図３】プリンタドライバとして起動した場合のウインドウを示す図である。
【図４】スタンプの回転手順を説明するフローチャートである。
【図５】バウンディングボックスによるスタンプの配置を説明する図である。
【図６】スタンプを回転して配置した状態を説明する図である。
【図７】スタンプを１ページ内に繰り返した状態を示す図である。
【図８】スタンプの属性に応じて囲み枠の属性を可変する例を説明する図である。
【図９】スタンプの適用範囲を設定した状態を示す図である。
【図１０】１ページ内に複数のスタンプが設定されている例を示す図である。
【図１１】論理ページ単位、物理ページ単位でのスタンプの形成例を説明する図である。
【符号の説明】
【００６３】
１…スタンプ情報入力部、２…スタンプ編集部、３…スタンプ登録部、４…スタンプ記録部、５…スタンプサイズ決定部、６…スタンプ位置決定部、７…スタンプ管理部、８…表示部、９…印刷部
【図１】
2005304094.tif 000003
【図２】
2005304094.tif 000004
【図３】
2005304094.tif 000005
【図４】
2005304094.tif 000006
【図５】
2005304094.tif 000007
【図６】
2005304094.tif 000008
【図７】
2005304094.tif 000009
【図８】
2005304094.tif 000010
【図９】
2005304094.tif 000011
【図１０】
2005304094.tif 000012
【図１１】
2005304094.tif 000013